(57)【要約】【課題】空気調和機の外観を損なうことなくカバーフレームを下方に撓みにくくする。【解決手段】固定フレーム３を覆うカバーフレーム４が設けられている。固定フレーム３及びカバーフレーム４には、これらを貫通する貫通孔３ｃ及び４ｂが形成されている。貫通孔３ｃ及び４ｂには固定部材１０が取り付けられている。固定部材１０は、貫通孔３ｃ及び４ｂの両方の両方に挿通されている。固定部材１０の下面は、カバーフレーム４の下面と面一となるように構成されている。【選択図】図４
2010060173.tif 000002
【特許請求の範囲】
【請求項１】
壁面に固定される固定フレームと、前記固定フレームを覆うカバーフレームとを備えた空気調和機であって、
前記カバーフレームの底部を貫通した第１の貫通孔と、
前記固定フレームの下端部において前記第１の貫通孔に対向する位置に開口した第２の貫通孔と、
前記第１及び第２の貫通孔の両方に挿通された状態で前記カバーフレームと前記固定フレームとを固定する固定部材とを備えており、
前記固定部材の下面が前記カバーフレームの下面と実質的に面一となることを特徴とする空気調和機。
【請求項２】
前記固定部材は、前記第２の貫通孔を塞ぐ閉塞部と、前記閉塞部から延在し且つ前記第１及び第２の貫通孔の両方に挿通される挿通部と、前記挿通部から外側に向かって突出する、前記固定フレームの下端部への係止部とを有していることを特徴とする請求項１に記載の空気調和機。
【請求項３】
前記固定部材が、前記カバーフレーム及び前記固定フレームに着脱可能に構成されていることを特徴とする請求項１又は２に記載の空気調和機。
【請求項４】
前記固定部材の前記係止部に前記第１及び第２の貫通孔を通過させた後で、前記第２の貫通孔を塞いだ状態の前記閉塞部を所定の角度だけ回転させることより、前記係止部が前記固定フレームの下端部に係止されるように構成されていることを特徴とする請求項１〜３のいずれか１項に記載の空気調和機。
【請求項５】
前記係止部が前記固定フレームの下端部に係止された状態では、前記固定部材の下面の色彩又は模様と前記カバーフレームの下面の色彩又は模様とは、前記固定部材と前記カバーフレームとの境界において実質的に連続するように構成されていることを特徴とする請求項４に記載の空気調和機。
【請求項６】
前記固定部材の下面に凹部が形成されており、
前記凹部に嵌合する凸部が形成された部材をさらに備えていることを特徴とする請求項４又は５に記載の空気調和機。
【請求項７】
前記カバーフレーム及び固定フレームが長尺形状であり、
前記第１及び第２の貫通孔及び前記固定部材の組が長手方向に関して互いに離隔しつつ複数配置されていることを特徴とする請求項１〜６のいずれか１項に記載の空気調和機。
【発明の詳細な説明】
【技術分野】
【０００１】
本発明は、空気調和機、特に、カバーフレームが設けられた空気調和機に関する。
【背景技術】
【０００２】
従来、カバーフレームを有する種々の空気調和機が提案されている。例えば、特許文献１はその一例である。
【０００３】
特許文献１の空気調和機は、筐体を構成する前面パネルを有している。かかるカバー状のパネルは長手方向の中央部分が撓みやすいため、特許文献１においては、パネルの中央部分を、装置内部に配置されたドレンパンにねじで固定している。
【０００４】
【特許文献１】特開平１０−１０３７０７号公報（図２）
【発明の開示】
【発明が解決しようとする課題】
【０００５】
特許文献１によると、前面パネルとドレンパンとのねじ留めの位置が装置の前面となっている。この場合、前面パネルの底部が下方に撓むのを防止しにくい。また、ねじ頭が外観に表れる場合には、装置の外観が損なわれるおそれもある。
【０００６】
本発明の目的は、外観を損なうことなくカバーフレームを下方に撓みにくくした空気調和機を提供することにある。
【課題を解決するための手段】
【０００７】
本発明に係る第１の発明の空気調和機は、壁面に固定される固定フレームと、前記固定フレームを覆うカバーフレームとを備えた空気調和機であって、前記カバーフレームの底部を貫通した第１の貫通孔と、前記固定フレームの下端部において前記第１の貫通孔に対向する位置に開口した第２の貫通孔と、前記第１及び第２の貫通孔の両方に挿通された状態で前記カバーフレームと前記固定フレームとを固定する固定部材とを備えており、前記固定部材の下面が前記カバーフレームの下面と実質的に面一となる。
【０００８】
この空気調和機では、固定部材を固定フレームとカバーフレームに取り付けることで、カバーフレームが下方に撓みにくくなる。また、固定部材の下面がカバーフレームの下面と実質的に面一となるので、固定部材で固定後の外観が損なわれにくい。
【０００９】
第２の発明の空気調和機は、第１の発明に係る空気調和機であって、前記固定部材は、前記第２の貫通孔を塞ぐ閉塞部と、前記閉塞部から延在し且つ前記第１及び第２の貫通孔の両方に挿通される挿通部と、前記挿通部から外側に向かって突出する、前記固定フレームの下端部への係止部とを有していることを特徴とする。
【００１０】
この空気調和機では、固定部材の挿通部を第１及び第２の貫通孔に挿通させ、係止部を固定フレームに係止することで、ねじ留めなどを用いることなく簡易な方法でカバーフレームを固定できる。
【００１１】
第３の発明の空気調和機は、第１又は第２の発明に係る空気調和機であって、前記固定部材が、前記カバーフレーム及び前記固定フレームに着脱可能に構成されていることを特徴とする。
【００１２】
この空気調和機では、固定部材が着脱可能なので、メンテナンス等の際にカバーフレームを取り外しやすい。
【００１３】
第４の発明の空気調和機は、第１〜第３の発明のいずれかに係る空気調和機であって、前記固定部材の前記係止部に前記第１及び第２の貫通孔を通過させた後で、前記第２の貫通孔を塞いだ状態の前記閉塞部を所定の角度だけ回転させることより、前記係止部が前記固定フレームの下端部に係止されるように構成されていることを特徴とする。
【００１４】
この空気調和機では、固定部材を差し込んだ後に閉塞部を所定の角度だけ回転させることにより、簡易に固定部材を取り付けることができる。
【００１５】
第５の発明の空気調和機は、第４の発明に係る空気調和機であって前記係止部が前記固定フレームの下端部に係止された状態では、前記固定部材の下面の色彩又は模様と前記カバーフレームの下面の色彩又は模様とは、前記固定部材と前記カバーフレームとの境界において実質的に連続するように構成されていることを特徴とする。
【００１６】
この空気調和機では、固定部材を差し込んだ後に閉塞部を所定の角度だけ回転させることにより、固定フレームとカバーフレームに固定部材を取り付けることができると共に、固定部材の下面の色彩又は模様がカバーフレームの下面の色彩又は模様と境界において連続する。したがって、固定部材の固定後の外観が損なわれにくい。
【００１７】
第６の発明の空気調和機は、第１又は第４に係る空気調和機であって、前記固定部材の下面に凹部が形成されており、前記凹部に嵌合する凸部が形成された部材をさらに備えていることを特徴とする。
【００１８】
この空気調和機では、固定部材の凹部に上記部材の凸部を嵌め込むと固定部材を回転させることができるので、固定部材の取り付け用の工具を別途用意する必要がない。
【００１９】
第７の発明の空気調和機は、第１〜第６の発明のいずれかに係る空気調和機であって、前記カバーフレーム及び固定フレームが長尺形状であり、前記第１及び第２の貫通孔及び前記固定部材の組が長手方向に関して互いに離隔しつつ複数配置されていることを特徴とする。
【００２０】
この空気調和機では、カバーフレーム及び固定フレームの長尺方向について複数の固定部材が配置されるので、カバーフレームが撓むのをより効果的に防止できる。
【発明の効果】
【００２１】
以上の説明に述べたように、本発明によれば、以下の効果が得られる。
【００２２】
第１の発明では、固定部材を固定フレームとカバーフレームに取り付けることで、カバーフレームが下方に撓みにくくなる。また、固定部材の下面がカバーフレームの下面と実質的に面一となるので、固定部材で固定後の外観が損なわれにくい。
【００２３】
第２の発明では、固定部材の挿通部を第１及び第２の貫通孔に挿通させ、係止部を固定フレームに係止することで、ねじ留めなどを用いることなく簡易な方法でカバーフレームを固定できる。
【００２４】
第３の発明では、固定部材が着脱可能なので、メンテナンス等の際にカバーフレームを取り外しやすい。
【００２５】
第４の発明では、固定部材を差し込んだ後に閉塞部を所定の角度だけ回転させることにより、簡易に固定部材を取り付けることができる。
【００２６】
第５の発明では、固定部材を差し込んだ後に閉塞部を所定の角度だけ回転させることにより、固定フレームとカバーフレームに固定部材を取り付けることができると共に、固定部材の下面の色彩又は模様がカバーフレームの下面の色彩又は模様と境界において連続する。したがって、固定部材の固定後の外観が損なわれにくい。
【００２７】
第６の発明では、固定部材の凹部に上記部材の凸部を嵌め込むと固定部材を回転させることができるので、固定部材の取り付け用具を別途用意する必要がない。
【００２８】
第７の発明では、カバーフレーム及び固定フレームの長尺方向について複数の固定部材が配置されるので、カバーフレームが撓むのをより効果的に防止できる。
【発明を実施するための最良の形態】
【００２９】
以下、本発明に係る空気調和機の実施の形態について、図面を参照しつつ説明する。
【００３０】
図１（ａ）は、空気調和機１の正面図である。図１（ｂ）は、斜め下方から見たときの空気調和機１の斜視図である。図２は、図１（ａ）の空気調和機１のＩＩ−ＩＩ線縦断面図である。空気調和機１は、室内の壁面に取り付けられる室内機である。空気調和機１は、左右方向に長尺な直方体の概略形状を有している。
【００３１】
空気調和機１の筐体は、据え付け板２、固定フレーム３、及びカバーフレーム４によって構成されている。これらのフレームは、いずれも左右方向に関して空気調和機１全体の幅とほぼ同じ長さを有している。据え付け板２は、上下方向に延びた平板状の部材であり、室内の壁面９１にボルトやねじなどの固定具で固定される。据え付け板２の上端付近には、前方に向かって斜め上方に突出した突出部２ａが形成されている。また、据え付け板２の下端付近には、前方に向かって突出しつつ山型に屈曲した突出部２ｂが形成されている。
【００３２】
固定フレーム３は、空気調和機１内に配置される各種の部品を支持するフレームである。固定フレーム３は、概略的に上下方向に延びており、上端部３ａが下方に向かって山型に屈曲している。固定フレーム３の上端部３ａは、据え付け板２の突出部２ａに上方から引っ掛けられている。これにより、固定フレーム３が据え付け板２に懸垂状に支持されている。
【００３３】
固定フレーム３は、上端部３ａから、前方及び後方に屈曲しつつ下方へと延びており、最も下方の位置において後方へと屈曲し、ほぼ水平面に沿った下端部３ｂに繋がっている。下端部３ｂには、上下方向に固定フレーム３を貫通する貫通孔３ｃ（第２の貫通孔）が形成されている。下端部３ｂの後方には、据え付け板２の突出部２ｂに当接する屈曲部３ｄが形成されており、屈曲部３ｄは突出部２ｂに固定具で固定されている。このように、固定フレーム３は、据え付け板２を介して壁面９１に固定されている。なお、壁面９１に直接固定される据え付け板２が固定フレーム３と一体に形成されていてもよい。
【００３４】
カバーフレーム４は、据え付け板２との間に固定フレーム３を前方から挟むように固定フレーム３に固定されている。カバーフレーム４は、固定フレーム３に着脱しやすいように、固定具などを介さず、取り外し可能な嵌め込み構造などを利用して固定フレーム３に固定されていることが好ましい。例えば、固定フレーム３にカバーフレーム４を取り付けるための嵌め込み部が形成されており、カバーフレーム４に形成された爪部を嵌め込み部に嵌め込むことでカバーフレーム４を固定フレーム３に固定するように構成されていてもよい。また、カバーフレーム４が据え付け板２に固定されてもよい。
【００３５】
カバーフレーム４の底部４ａはほぼ水平面に沿っており、固定フレーム３の下端部３ｂに当接している。カバーフレーム４の底部４ａには、カバーフレーム４を上下方向に貫通する貫通孔４ｂが形成されている。貫通孔４ｂは、カバーフレーム４の内底面において、固定フレーム３の下端部３ｂに形成された貫通孔３ｃに対向する位置に開口している。
【００３６】
カバーフレーム４は固定フレーム３を覆っており、カバーフレーム４と固定フレーム３との間には内包空間５が形成されている。内包空間５には、熱交換器や熱交換器に接続された配管、送風ファン、電子部品などの各種の部品が収容される。なお、図を見やすくするため、図２にはこれらの部品を図示していない。空気調和機１には、後述において一例を示す室外機が接続され、この室外機から熱交換器へと配管を通じて冷媒が供給される。冷房運転時には低温且つ低圧の液体状の冷媒が供給され、暖房運転時には高温且つ高圧の気体状の冷媒が供給される。熱交換器に供給された冷媒が蒸発したり凝縮したりする際に、熱交換器の周囲の空気が冷却されたり加熱されたりする。これらの冷却されたり加熱されたりした空気が送風ファンにより装置外部へと送り出される。
【００３７】
図３（ａ）は、前後、左右、上下の各方向を図中において図１とは異なる向きに設定した場合の空気調和機１の斜視図である。なお、図３（ａ）中には、図１の上方、右方、前方に相当する方向が示されている。以下においてはこれらの方向に従って説明する。カバーフレーム４の前部４ｃは、図３（ａ）の矢印Ｋの方向に開くことができるように構成されている。前部４ｃを開くと、図２においてカバーフレーム４と固定フレーム３との間に形成された内包空間５が外部に露出する。これによって、空気調和機１内の点検、整備などのメンテナンス作業を行うことができる。
【００３８】
例えば、空気調和機１の内部において右端部には、空気調和機１の電気的構成を集中して収容した電装品ユニット４０が設けられている。電装品ユニット４０の前面には電装品カバー４１がねじ３２でねじ留めされている。なお、電装品カバー４１の上端には、図３（ｂ）に示すように突起４１ａ（凸部）が形成されている。突起４１ａは、左右方向に沿った平板形状を有している。カバーフレーム４の前部４ｃを開き、ねじ３２を緩めて電装品カバー４１を取り外すことで、電装品ユニット４０のメンテナンス作業を実行することができる。
【００３９】
ところで、空気調和機１は壁面に設置して使用する態様の装置であるため、床上に置いて使用する態様のもの等と異なり、通常、下方の空間が開放されたまま使用される。この場合、図１（ａ）の二点鎖線に示すように、カバーフレーム４の底部４ａが自重によって下方へと撓むことがある。特に、本実施形態の空気調和機１は図１に示すように全体として左右方向に長尺に構成されており、カバーフレーム４が、空気調和機１内に収容された部品全体を覆うように一体に構成されている。したがって、カバーフレーム４の底部４ａは下方へとより撓みやすい。カバーフレーム４の底部４ａが下方に撓むと、空気調和機１の外観が損なわれる。
【００４０】
そこで、本実施形態の空気調和機１には、固定フレーム３の下端部３ｂ及びカバーフレーム４の底部４ａに形成された貫通孔３ｃ及び４ｂに、固定部材１０が差し込まれている。以下、これらの構成についてより詳細に説明する。図４は、図２において固定部材１０周辺の拡大図である。また、図５（ａ）は固定部材１０のみを上方側から見たときの斜視図であり、図５（ｂ）は固定部材１０のみを下方側から見たときの斜視図である。さらに、図６（ａ）は固定部材１０の周辺の平面図であり、図６（ｂ）は固定部材１０の周辺の底面図である。
【００４１】
固定部材１０、貫通孔３ｃ及び４ｂの組は空気調和機１に複数設けられている。図１（ｂ）に示すように、これらは左右方向に関して互いに離隔されて配置されている。
【００４２】
貫通孔４ｂは、平面視においていずれも環状の上部Ａと下部Ｂとから構成されている。上部Ａは下部Ｂより径が小さく、下部Ｂと同心になるように配置されている。カバーフレーム４の下面には、左右方向に平行な直線状の溝３１が等間隔に形成されている（図４、図６（ｂ）参照）。
【００４３】
貫通孔３ｃは、平面視において、左右方向に長尺な長方形の概略形状を有しており、長方形の中心が貫通孔４ｂの中心に位置するように配置されている（図６（ａ）参照）。固定フレーム３の下端部３ｂにおいてカバーフレーム４とは反対側の表面には、半球状の溝２１が形成されている。溝２１は、貫通孔３ｃの開口を互いに挟む位置に２つ形成されている。
【００４４】
固定部材１０は、貫通孔４ｂを閉塞する閉塞部１０ａと、貫通孔３ｃ及び４ｂの両方に挿通される挿通部１０ｂと、挿通部１０ｂから外側に向かって突出する係止部１０ｃとを有している。閉塞部１０ａは円盤形状を有しており、貫通孔４ｂの下部Ｂとほとんど隙間を空けずちょうど嵌まり合う大きさを有している。これにより、固定部材１０を貫通孔４ｂに差し込むと、閉塞部１０ａが貫通孔４ｂの下部Ｂとちょうど嵌まり合い、貫通孔４ｂを閉塞する。また、閉塞部１０ａの厚みは、貫通孔４ｂと嵌り合った際に下面がカバーフレーム４の下面とほぼ面一となるように調整されている。したがって、閉塞部１０ａの下面とカバーフレーム４の下面は、互いの間で段差が生じることなく、ほぼ一つの平面に沿って滑らかに連続する。
【００４５】
なお、貫通孔４ｂ及び閉塞部１０ａは、いずれも平面視で環状に形成されている。このため、貫通孔４ｂと嵌まり合った状態でも、閉塞部１０ａを水平面に沿って自由に回転させることができる。
【００４６】
閉塞部１０ａの下面には、左右方向に平行な直線状の溝１３が等間隔に形成されている。溝１３は、図６（ｂ）に示すように、カバーフレーム４の下面に形成された溝３１と同じ位置に、溝３１と同じ間隔で配置されている。これによって、固定部材１０とカバーフレーム４の境界において、溝１３と溝３１とが連続している。また、閉塞部１０ａの下面には、左右方向に平行な直線状の溝１１（凹部）が、溝１３より深く形成されている。溝１１は、電装品カバー４１の突起４１ａとちょうど嵌まり合うように形成されており、平面視で閉塞部１０ａのほぼ中心に配置されている。
【００４７】
挿通部１０ｂは、貫通孔３ｃを通過可能な径を有する柱状の上部Ｃと円盤状の下部Ｄとで構成されている。上部Ｃは、平面視において下部Ｄの中心に配置されており、下部Ｄの上面から上方に向かって延びている。下部Ｄは、平面視において閉塞部１０ａと同心になるように配置されており、貫通孔４ｂの上部Ａと嵌り合う大きさを有している。
【００４８】
係止部１０ｃは、挿通部１０ｂの上端付近から前後方向に関して外側に向かってそれぞれ突出している。これによって、係止部１０ｃは、図４及び図６（ａ）に示すように、前後方向に関して貫通孔３ｃの開口より外側に張り出し、固定フレーム３の下端部３ｂに引っ掛けられて固定される。つまり、係止部１０ｃが固定フレーム３の下端部３ｂに係止される。
【００４９】
一方、図６（ａ）の二点鎖線は、固定部材１０を水平面に沿って９０度回転させた状態を示している。係止部１０ｃは、図６（ａ）の二点鎖線が示すように、平面視において貫通孔４ｂより一回り小さくなるように形成されている。また、係止部１０ｃの下面には半球状の突起１２が形成されている。突起１２は、固定部材１０が図６（ａ）に示す位置にあるときに、固定フレーム３側の溝２１とちょうど嵌まり合うように形成されている。
【００５０】
以下、固定フレーム３及びカバーフレーム４に固定部材１０を取り付ける方法について説明する。図７（ａ）は、図３（ａ）において、固定部材１０が固定フレーム３及びカバーフレーム４に取り付けられる前の状態の図である。まず、図７（ａ）に示すように、電装品ユニット４０から電装品カバー４１を取り外した状態にしておく。そして、固定部材１０を貫通孔４ｂの下方に配置する。ここで、固定部材１０は、平面視において図６（ａ）の二点鎖線で示す位置を取るように配置する。このとき、固定部材１０の閉塞部１０ａの下面に形成された溝１１は、図６（ｂ）の二点鎖線で示す位置を取る。
【００５１】
次に、係止部１０ｃに貫通孔３ｃ及び４ｂを下方から通過させると共に、閉塞部１０ａで貫通孔４ｂを閉塞する。そして、図７（ｂ）に示すように、電装品カバー４１の突起４１ａを、閉塞部１０ａの下面に形成された溝１１に嵌め合わせ、電装品カバー４１を水平面に沿って回転させる。これにより、閉塞部１０ａを水平面に沿って回転させることができる。そして、閉塞部１０ａを図６（ａ）の二点鎖線の位置から矢印Ｌの向きに９０度回転させると、係止部１０ｃの下面に形成された突起１２が、固定フレーム３の下端部３ｂに形成された溝２１に嵌まり込む。これによって、係止部１０ｃが固定フレーム３の下端部３ｂに係止されると共に、閉塞部１０ａの下面の溝１３とカバーフレーム４の下面の溝３１とが、図６（ｂ）の実線で示すように固定部材１０とカバーフレーム４の境界において連続する。以上により、固定部材１０の取り付けが完了する。
【００５２】
また、固定部材１０を固定フレーム３及びカバーフレーム４から取り外すには、以下の手順をたどればよい。まず、カバーフレーム４の前部４ｃを開き、電装品カバー４１を電装品ユニット４０から取り外す。そして、電装品カバー４１の突起４１ａを閉塞部１０ａの下面に形成された溝１１に嵌め込み、電装品カバー４１を回転させて閉塞部１０ａを図６（ａ）の矢印Ｌとは逆方向に９０度回転させる。これによって、係止部１０ｃに貫通孔３ｃ及び４ｂを下方へと通過させ、固定部材１０を固定フレーム３及びカバーフレーム４から取り外すことができる。このように、固定部材１０が着脱可能となっているので、メンテナンス作業の際にカバーフレーム４を取り外して作業する必要がある場合などに、カバーフレーム４を簡易に取り外すことができる。
【００５３】
以上説明したように、本実施形態によると、固定部材１０を用いて固定フレーム３とカバーフレーム４とを固定しているため、カバーフレーム４が下方に撓みにくくなる。したがって、カバーフレーム４の撓みで空気調和機１の外観が損なわれることが抑制される。
【００５４】
また、本実施形態では、空気調和機１の長尺方向に関して複数の固定部材１０が設けられている。したがって、カバーフレーム４が長尺方向に関して撓みやすくなるのを効果的に抑制している。
【００５５】
また、固定部材１０は、挿通部１０ｂを貫通孔４ｂ及び３ｃに挿通させ、係止部１０ｃを固定フレーム３の下端部３ｂに係止することで取り付けることができる。したがって、ねじ留めなどを用いることなく、簡易な方法でカバーフレーム４を撓みにくくすることができる。
【００５６】
また、固定部材１０は、固定フレーム３及びカバーフレーム４に取り付けた際、その下面がカバーフレーム４の下面と面一となると共に、その下面の溝１３がカバーフレーム４の下面の溝３１と連続するように構成されている。したがって、固定具の下面がカバーフレーム４の下面より突出したり、固定具の下面の模様がカバーフレーム４の模様と不連続になったりする場合と比べて、固定部材１０を取り付けた後の空気調和機１の外観が損なわれにくい。
【００５７】
また、本実施形態では、電装品カバー４１の突起４１ａを利用して固定部材１０を着脱することができる。したがって、マイナスドライバなどの工具を別途用意する必要がなく、簡易に固定部材１０を取り付けたり取り外したりすることができる。
【００５８】
以下、固定部材等の変形例について説明する。
【００５９】
（第１の変形例）
図８（ａ）は、第１の変形例に係る固定部材１１０の底面図である。固定部材１１０は、上述の固定部材１０において溝１１の代わりに三角柱状の溝１１１が形成されたものである。図８（ｂ）は、固定部材１１０に対応する電装品カバー１４１の斜視図である。電装品カバー１４１は、上述の電装品カバー４１において突起４１ａの代わりに三角柱状の突起１４１ａが形成されたものである。突起１４１ａは、溝１１１とちょうど嵌まり合うように形成されている。したがって、突起１４１ａを溝１１１に嵌合して電装品カバー１４１を回転させると、固定部材１１０を回転させることができる。
【００６０】
本変形例のように溝や突起の形状をある程度特有のものとすることにより、マイナスドライバなどの一般的な工具では固定部材を回転できないようにすることができる。この場合、電装品カバーを用いて固定部材を取り外すことを理解した者以外の者が固定部材を外すようなことが少なくなるため、一般ユーザによるカバーフレームの取り外しを抑制することができる。
【００６１】
なお、固定部材側の溝と電装品カバー側の突起とは、互いに対応する形状を有していれば、固定部材１０や１１０に限らず、どのような形状であってもよい。ただし、突起を溝に嵌合した状態で電装品カバーを回転させると固定部材を回転させることができるような形状を有している必要がある。例えば、突起を溝に嵌合した状態で電装品カバーを回転させると、突起の表面が溝内の表面に当接して固定部材を回転させるように、突起及び溝が形成されていればよい。
【００６２】
（第２の変形例）
図９（ａ）は、図４において固定部材１０の代わりに第２の変形例に係る固定部材２１０が用いられたときの図である。固定部材２１０において固定部材１０との違いは、挿通部１０ｂ及び係止部１０ｃの代わりに挿通部２１０ｂ及び係止部２１０ｃが形成されていることである。係止部２１０ｃは挿通部２１０ｂの上端から左右方向に突出すると共に、挿通部２１０ｂから左右へと離隔しつつ下方に向かって延びている。係止部２１０ｃの下面は、閉塞部１０ａが貫通孔４ｂを閉塞した状態において、固定フレーム３の下端部３ｂの、カバーフレーム４とは反対側の表面に当接している。これによって、係止部２１０ｃが固定フレーム３の下端部３ｂに係止されている。
【００６３】
一方、固定部材２１０は、貫通孔３ｃ及び４ｂに差し込まれるときに以下のような状態を取る。図９（ｂ）は、固定部材２１０を貫通孔３ｃ及び４ｂに差し込む途中を示している。固定部材２１０が図９（ｂ）の白抜き矢印に示す方向に貫通孔３ｃ及び４ｂに押し込まれると、係止部２１０ｃの側面が貫通孔３ｃの内側面に当接する。このとき、係止部２１０ｃが挿通部２１０ｂに向かって押され、弾性変形によって挿通部２１０ｂに近接する。これによって、挿通部２１０ｂ及び係止部２１０ｃが貫通孔３ｃを通過できるような大きさとなる。そして、固定部材２１０がさらに押し込まれ、係止部２１０ｃが貫通孔３ｃを完全に通過すると、図９（ａ）に示すように係止部２１０ｃが弾性変形した状態から元の状態に戻り、係止部２１０ｃが固定フレーム３の下端部３ｂに係止される。
【００６４】
このように、本変形例の固定部材２１０は、貫通孔３ｃ及び４ｂに押し込むだけで固定フレーム３及びカバーフレーム４に取り付けることができる。
【００６５】
（第３の変形例）
図１０（ａ）は、第３の変形例に係る固定部材３１０、固定フレーム３０３及びカバーフレーム３０４の縦断面図であり、図４に対応する図である。図１０（ｂ）は、図１０（ａ）の底面図である。
【００６６】
第３の変形例において固定部材１０等との違いの１点目は、固定フレーム３０３及びカバーフレーム３０４が全体として湾曲しており、固定部材３１０の下面もその湾曲に合わせて形成されていることである。つまり、カバーフレーム３０４の下面３０４ａは、下方に向かって緩やかに湾曲している。そして、固定部材３１０の下面３１０ａも、カバーフレーム３０４の下面３０４ａの湾曲に合わせて緩やかに湾曲している。
【００６７】
これによって、カバーフレーム３０４の下面３０４ａ及び固定部材３１０の下面３１０ａは、互いの境界において段差を生じることなく、いずれも滑らかに連続した共通の曲面に沿っている。したがって、固定部材３１０で固定フレーム３及びカバーフレーム４を固定しても、空気調和機の外観を損なうことが抑制される。このように、固定部材３１０及びカバーフレーム３０４の下面が曲面に沿っている場合にも、固定部材３１０の下面とカバーフレーム３０４の下面とを実質的に面一となるように構成することが可能である。
【００６８】
なお、固定部材３１０の下面が、二点鎖線３１０ｂに示すように平面に沿っていてもよい。カバーフレーム３０４のように緩やかに湾曲している場合には、固定部材３１０の下面が平面に沿っていても、外観として違和感が生じにくいからである。なお、この場合にも、固定部材３１０の下面は、カバーフレーム３０４の下面３０４ａとの間にできるだけ段差が生じないように構成されていることが好ましい。これによって、固定部材３１０の下面とカバーフレーム３０４の下面３０４ａとを実質的に面一となるように構成することが可能である。
【００６９】
第３の変形例において固定部材１０等との違いの２点目は、カバーフレーム３０４の下面３０４ａ及び固定部材３１０の下面３１０ａに形成された模様である。カバーフレーム３０４の下面３０４ａ及び固定部材３１０の下面３１０ａには、直線状の溝１１や溝３１が形成される代わりに、ランダムな図形が描画されている。本変形例においては、種々の径を有する複数の楕円図形Ｅや直線図形Ｎが描画されている。楕円図形Ｅ及び直線図形Ｎは、固定部材３１０が取り付けられた状態でカバーフレーム３０４及び固定部材３１０を跨ぐように描画されており、カバーフレーム３０４及び固定部材３１０の境界において連続に繋がっている。
【００７０】
このように、本変形例は、固定部材１０及びカバーフレーム４の下面と同様に、カバーフレーム３０４及び固定部材３１０の境界において模様が連続するように構成されており、固定部材３１０を取り付けた後の空気調和機１の外観が損なわれにくい。
【００７１】
なお、楕円図形Ｅの内部と外部とが異なる色で塗り分けられていてもよい。この場合のように、固定部材３１０の下面３１０ａやカバーフレーム３０４の下面３０４ａの模様に種々の色彩が施されている場合においても、カバーフレーム３０４及び固定部材３１０の境界においてそれらの色彩が途切れないように連続になっていることがより好ましい。これによって、模様のみが連続である場合と比べて、固定部材３１０を取り付けた後の空気調和機１の外観がより損なわれにくくなる。
【００７２】
（室外機）
以下、本実施形態の空気調和機１に接続される室外機の一実施例について説明する。図１１（ａ）は、かかる室外機９００の前方側から見た斜視図である。図１１（ｂ）は、室外機９００の後方側から見た斜視図である。
【００７３】
室外機９００は、複数のパネルから構成されたケーシングを有している。ケーシングの側面は、側面パネル９０１及び９０２によって構成されている。側面パネル９０１の背面側には開口部９２２が形成されている。開口部９２２からは、図示しない冷媒用の配管の接続部が露出している。空気調和機１からの配管はこの接続部に接続され、この配管を通じて冷媒が空気調和機１から室外機９００へと送り込まれると共に、再び室外機９００から空気調和機１へと送り出される。本実施例の室外機９００は、複数の空気調和機１に接続されるものであり、１台の空気調和機１のみに接続されるものと比べて大型の装置となる。また、空気調和機１に接続される配管は多数となり、これらの多数の配管が縦方向に並べられる。したがって、配管の接続部が配置される開口部９２２は、上下方向に沿って長尺に形成され、室外機９００の中央付近から下端付近まで延びている。
【００７４】
また、室外機９００のケーシングの外表面には、把手部９１１〜９１３が設けられている。このうち、把手部９１１は側面パネル９０１側の側面に設けられ、把手部９１２及び９１３は前面に設けられている。なお、図示していないが、側面パネル９０２側の側面にも把手部が設けられている。これらの把手部は、いずれも、ケーシングに形成された開口に、取っ手状に形成された樹脂部材を嵌め込むことによって設けられている。
【００７５】
図１２（ａ）は、側面パネル９０１の左前方側から見た斜視図である。側面パネル９０１は平板状の金属板からなり、平面視において「く」の字型に折り曲げられている。側面パネル９０１の端縁には爪部９２３が形成されており、この爪部９２３をケーシングの背面パネルに差し込むことにより側面パネル９０１をケーシングに固定することができる。また、側面パネル９０１において開口部９２２の上端付近には、側面パネル９０１の端部の一部がケーシングの内部に向かって折り曲げられた折り曲げ部９３０が形成されている。図１２（ｂ）は、図１２（ａ）の折り曲げ部９３０周辺の拡大図である。折り曲げ部９３０は、円弧状に滑らかに湾曲しており、先端縁が側面パネル９０１の内面に対向している。
【００７６】
このように、本実施例の室外機９００は、側面パネル９０１の開口部９２２の上端に、装置内部に向かって円弧状に折り曲げられた折り曲げ部９３０が形成されている。したがって、開口部９２２の上端付近に手を差し込み、折り曲げ部９３０を下方から把持することにより、開口部９２２の上端を把手部として用いることができる。
【００７７】
一方で、側面パネル９０１の背面側に把手部９１１〜９１３と同じ構成の把手部を設けるとすると、側面パネル９０１に別途開口を形成すると共に、取っ手となる部材をその開口に嵌め込まなければならない。
【００７８】
上記に対して本変形例では、側面パネル９０１の端部を折り曲げることによって把手部が形成されているので、簡易な方法で把手部を設けることができる。
【００７９】
なお、把手部として、折り曲げ部９３０と異なる形状に折り曲げ部を形成してもよい。この場合にも、側面パネル９０１の端部を折り曲げ部９３０のように滑らかに湾曲させることにより、素手で把持した場合にも手に負担がかからないように形成することが好ましい。
【００８０】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００８１】
例えば、上述の実施形態では、固定部材１０を取り付ける際に、貫通孔３ｃ及び４ｂに差し込んだ後に、固定部材１０を９０度回転させることによって係止部１０ｃを固定フレーム３に係止している。しかし、固定部材１０の回転は９０度でなくてもよい。例えば、貫通孔３ｃ及び４ｂに差し込んだ後に、固定部材１０を４５度回転させることによって係止部１０ｃを固定フレーム３に係止してもよい。この場合には、固定部材１０を４５度回転させた状態において固定部材１０側の溝１３とカバーフレーム４側の溝３１とが連続に繋がるように形成されていることが好ましい。また、固定部材１０を４５度回転させたときに係止部１０ｃ側の突起１２と固定フレーム３側の溝２１とがちょうど嵌まり合うように構成されていることが好ましい。
【００８２】
また、上述の実施形態では、固定部材１０の溝１１に対応する突起４１ａが電装品カバー４１に形成されている。しかし、このような突起が、空気調和機１内に設置された、電装品カバー４１以外の部材に形成されていてもよい。
【００８３】
また、上述の実施形態では、固定部材１０が固定フレーム３及びカバーフレーム４から着脱可能に構成されており、固定部材１０を固定フレーム３及びカバーフレーム４から容易に取り外せるように構成されている。しかし、固定部材を一旦固定フレーム３及びカバーフレーム４に嵌め込んだ後は、容易には取り外せないように構成されていてもよい。
【産業上の利用可能性】
【００８４】
本発明を利用すれば、カバーフレームの底部が撓みにくく且つ外観を損なわない。
【図面の簡単な説明】
【００８５】
【図１】図１（ａ）は、本発明の一実施形態である空気調和機の正面図である。図１（ｂ）は、斜め下方から見たときの空気調和機の斜視図である。
【図２】図１（ａ）の空気調和機のＩＩ−ＩＩ線断面図である。
【図３】図３（ａ）は、前後、左右、上下の各方向が図中において図１とは異なる向きに設定された場合の空気調和機の斜視図である。図３（ｂ）は、電装品カバーを図３（ａ）とは別の角度から見た斜視図である。
【図４】図２において固定部材１０周辺の拡大図である。
【図５】固定部材の斜視図である。
【図６】図６（ａ）は、固定部材とその周辺の平面図である。図６（ｂ）は、固定部材とその周辺の底面図である。
【図７】図７（ａ）は、図３（ａ）において、固定部材１０が固定フレーム３及びカバーフレーム４に取り付けられる前の状態の図である。図７（ｂ）は、電装品カバーを用いて固定部材を着脱する際の配置関係を示す図である。
【図８】図８（ａ）は、第１の変形例に係る固定部材の底面図である。図８（ｂ）は、第１の変形例の固定部材に対応する電装品カバーの斜視図である。
【図９】第２の変形例に係る固定部材とその周辺の縦断面図である。
【図１０】図１０（ａ）は、第３の変形例に係る固定部材、固定フレーム及びカバーフレームの縦断面図である。図１０（ｂ）は、図１０（ａ）の底面図である。
【図１１】本実施形態の空気調和機に接続される室外機の斜視図である。
【図１２】図１２（ａ）は、図１１の側面パネルの左前方側から見た斜視図である。図１２（ｂ）は、図１２（ａ）の折り曲げ部周辺の拡大図である。
【符号の説明】
【００８６】
１        空気調和機
３        固定フレーム
３ｃ      貫通孔
４        カバーフレーム
４ｂ      貫通孔
１０      固定部材
１０ａ    閉塞部
１０ｂ    挿通部
１０ｃ    係止部
４１      電装品カバー
１１０    固定部材
１３１    電装品カバー
２１０    固定部材
３０３    固定フレーム
３０４    カバーフレーム
３１０    固定部材
【図１】
2010060173.tif 000003
【図２】
2010060173.tif 000004
【図３】
2010060173.tif 000005
【図４】
2010060173.tif 000006
【図５】
2010060173.tif 000007
【図６】
2010060173.tif 000008
【図７】
2010060173.tif 000009
【図８】
2010060173.tif 000010
【図９】
2010060173.tif 000011
【図１０】
2010060173.tif 000012
【図１１】
2010060173.tif 000013
【図１２】
2010060173.tif 000014